【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
送電装置であって、
所定の情報を伝送するために、当該情報に基づいて電力を変化させた送電を行う第１の送電手段と、
前記所定の情報を検出したことの通知が受電装置から受信された場合、前記第１の送電手段により送電される電力より大きい電力の送電を前記受電装置に対して行う第２の送電手段と、
を備えることを特徴とする送電装置。
【請求項２】
前記第２の送電手段による送電を行うか否かを判定する判定手段を更に備え、
前記所定の情報を検出したことの通知が前記受電装置から受信された後、前記判定手段により、前記第２の送電手段による送電を行うと判定された場合、前記第２の送電手段は送電を前記受電装置に対して行うことを特徴とする請求項１に記載の送電装置。
【請求項３】
前記受電装置から受信された受電電力に関連する値が閾値以上である場合に、前記判定手段は、前記第２の送電手段による送電を行うと判定することを特徴とする請求項２に記載の送電装置。
【請求項４】
初期インピーダンスを記憶する記憶手段と、受電装置とは異なる異物を検出する異物検出手段を更に備え、
前記第１の送電手段による送電が行われている間のインピーダンス変化が、前記記憶手段に記憶された前記初期インピーダンスと異なる場合、前記異物検出手段は異物を検出したと判断することを特徴とする請求項１から３のいずれか１項に記載の送電装置。
【請求項５】
前記異物検出手段によって異物が検出された場合、表示部にエラー表示を行う表示制御手段を更に備えることを特徴とする請求項４に記載の送電装置。
【請求項６】
前記受電装置から受信された受電電力に関連する値が前記閾値よりも低い場合、表示部に前記受電装置の移動を促す表示を行う表示制御手段を更に備えることを特徴とする請求項３に記載の送電装置。
【請求項７】
前記所定の情報は、前記送電装置と前記受電装置との間で行われる機器認証において決定されたものであることを特徴とする請求項１から６のいずれか１項に記載の送電装置。
【請求項８】
受電装置であって、
情報を伝送するための第１の送電を送電装置から受ける第１の受電手段と、
前記第１の受電手段により受電された電力の変化から第１の情報を取得する取得手段と、
前記第１の情報と、前記取得手段による前記第１の情報の取得の前に前記送電装置との間で共有された第２の情報とが一致するか否かを判定する判定手段と、
前記第１の情報と前記第２の情報とが一致すると前記判定手段により判定された場合に、一致の通知を前記送電装置へ行う通知手段と、
前記通知手段による通知の後に、前記第１の送電の電力より大きい電力の第２の送電を前記送電装置から受ける第２の受電手段と、
を備えることを特徴とする受電装置。
【請求項９】
前記判定手段による判定に基づいて、受電インピーダンスの値を変更する変更手段をさらに備えることを特徴とする請求項８に記載の受電装置。
【請求項１０】
前記判定手段により前記第１の情報と前記第２の情報が一致すると判定された場合、前記変更手段は、前記受電インピーダンスを、前記判定手段による判定時の値よりも低い値に設定することを特徴とする請求項９に記載の受電装置。
【請求項１１】
前記判定手段により前記第１の情報と前記第２の情報が一致すると判定されなかった場合、前記変更手段は、前記受電インピーダンスを、前記判定手段による判定時の値よりも高い値に設定することを特徴とする請求項９または１０に記載の受電装置。
【請求項１２】
前記送電装置が前記受電装置から離れたことを検出する検出手段を更に備え、
前記変更手段により、前記受電インピーダンスが、前記判定手段による判定時の値よりも高い値に設定された後、前記検出手段により前記送電装置が離れたことが検出された場合、前記変更手段は、前記受電インピーダンスを、前記判定手段による判定時の値に設定することを特徴とする請求項１１に記載の受電装置。
【請求項１３】
送電装置の制御方法であって、
所定の情報を伝送するために、当該情報に基づいて電力を変化させた送電を行う第１の送電工程と、
前記所定の情報を検出したことの通知が受電装置から受信された場合、前記第１の送電工程において送電される電力より大きい電力の送電を前記受電装置に対して行う第２の送電工程と、
を有することを特徴とする送電装置の制御方法。
【請求項１４】
受電装置の制御方法であって、
情報を伝送するための第１の送電を送電装置から受ける第１の受電工程と、
前記第１の受電工程において受電された電力の変化から第１の情報を取得する取得工程と、
前記取得工程において取得された前記第１の情報と、前記取得工程における前記第１の情報の取得の前に前記送電装置との間で共有された第２の情報とが一致するか否かを判定する判定工程と、
前記第１の情報と前記第２の情報とが一致すると判定された場合に、一致の通知を前記送電装置へ行う通知工程と、
前記通知の後に、前記第１の送電の電力より大きい電力の第２の送電を前記送電装置から受ける第２の受電工程と、
を有することを特徴とする受電装置の制御方法。
【請求項１５】
コンピュータを、請求項１から７のいずれか１項に記載の送電装置の各手段として機能させるためのプログラム。
【請求項１６】
コンピュータを、請求項８から１２のいずれか１項に記載の受電装置の各手段として機能させるためのプログラム。
【請求項１７】
送電装置と受電装置を有する電力伝送システムであって、
第１の情報を伝送するために、当該情報に基づいて電力を変化させた送電を、前記送電装置から前記受電装置に対して行う第１の送電手段と、
前記第１の送電手段により送電された電力の変化から前記第１の情報を取得する取得手段と、
前記第１の情報と、前記取得手段による前記第１の情報の取得の前に前記送電装置と前記受電装置との間で共有された第２の情報とが一致するか否かを判定する判定手段と、
前記第１の情報と前記第２の情報とが一致すると前記判定手段により判定された場合に、前記第１の情報と前記第２の情報とが一致することを前記送電装置と前記受電装置の間で通信する通信手段と、
前記第１の情報と前記第２の情報とが一致することが前記通信手段により通信された場合、前記第１の送電手段により送電される電力より大きい電力の送電を前記送電装置から前記受電装置に対して行う第２の送電手段と、
を備えることを特徴とする電力伝送システム。
【手続補正２】
【補正対象書類名】明細書
【補正対象項目名】発明の名称
【補正方法】変更
【補正の内容】
【発明の名称】送電装置、受電装置およびそれらの制御方法、プログラム、および電力伝送システム
【手続補正３】
【補正対象書類名】明細書
【補正対象項目名】０００１
【補正方法】変更
【補正の内容】
【０００１】
本発明は送電装置、受電装置およびそれらの制御方法、プログラム、および電力伝送システムに関する。
【手続補正４】
【補正対象書類名】明細書
【補正対象項目名】０００８
【補正方法】変更
【補正の内容】
【０００８】
上記目的を達成するための一手段として、本発明の送電装置は以下の構成を備える。すなわち、送電装置であって、所定の情報を伝送するために、当該情報に基づいて電力を変化させた送電を行う第１の送電手段と、前記所定の情報を検出したことの通知が受電装置から受信された場合、前記第１の送電手段により送電される電力より大きい電力の送電を前記受電装置に対して行う第２の送電手段と、を備えることを特徴とする。